(57)【要約】      （修正有）【課題】鉄塔の支持碍子プレートへの固定を容易にすることができる鳥類飛来防止具及び鳥類飛来防止具の取り付け方法を提供する。【解決手段】鳥類飛来防止具１は、ボルト２０及び第１ナット２１で支持碍子と連結される鉄塔の支持碍子プレート７１に取り付けるための鳥類飛来防止具であって、ナットの外周よりも大きな内周を有するナット孔を備えるベースプレートと、ベースプレート１０から突出する鳥類忌避部材１１、１２、１３、１４と、を備える。【選択図】図１４
2017153291.tif 000002
【特許請求の範囲】
【請求項１】
ボルト及びナットで支持碍子と連結される鉄塔の支持碍子プレートに取り付けるための鳥類飛来防止具であって、
前記ナットの外周よりも大きな内周を有するナット孔を備えるベースプレートと、
前記ベースプレートから突出する鳥類忌避部材と、
を備える鳥類飛来防止具。
【請求項２】
前記ベースプレートの厚さ方向における前記ナット孔の長さは、前記ベースプレートの厚さ方向における前記ナットの厚さより大きい請求項１に記載の鳥類飛来防止具。
【請求項３】
ボルト、第１ナット及び第２ナットで支持碍子と連結される鉄塔の支持碍子プレートに対し、前記第１ナットの外周よりも大きな内周を有するナット孔を備えるベースプレートと、前記ベースプレートから突出する鳥類忌避部材と、を備える鳥類飛来防止具を取り付ける方法であって、
前記ボルトから前記第２ナットを取り外す第１ステップと、
前記第１ステップの後、前記ナット孔の内部に前記第１ナットが位置するように前記ベースプレートを前記支持碍子プレートに被せる第２ステップと、
前記第２ステップの後、前記ボルトにフィラーを取り付ける第３ステップと、
前記第３ステップの後、前記ボルトに第３ナットを取り付ける第４ステップと、
を含む鳥類飛来防止具の取り付け方法。
【請求項４】
前記第４ステップの後、前記ボルトに前記第２ナットを取り付ける第５ステップを含む請求項３に記載の鳥類飛来防止具の取り付け方法。
【発明の詳細な説明】
【技術分野】
【０００１】
本発明は、鳥類飛来防止具及び鳥類飛来防止具の取り付け方法に関する。
【背景技術】
【０００２】
電線又は鉄塔等を止り木として鳥類がこれらの上で留まることが知られている。鳥類が留まりやすい場所がある場合、鳥類はその場所で営巣することもある。鳥類が留まると、糞又は営巣材料等の落下によって短絡等の事故が生じる可能性がある。このような鳥類による事故（鳥害）を防止するために、鳥類の飛来を防止するための装置が従来から用いられている。鳥類の飛来を防止するための装置としては、例えば特許文献１に記載される技術が知られている。
【先行技術文献】
【特許文献】
【０００３】
【特許文献１】特開２０１３−２５８８３７号公報
【発明の概要】
【発明が解決しようとする課題】
【０００４】
ところで、鉄塔の腕木の端部には、電線を支持する支持碍子を固定するための支持碍子プレートが設けられている。支持碍子プレートの下方には支持碍子及び電線があるので、支持碍子プレートに鳥類が留まることは望ましくない。しかしながら、上述した特許文献１及び特許文献２に記載される装置を支持碍子プレートに固定することは容易ではない。
【０００５】
本発明は、上記に鑑みてなされたものであって、鉄塔の支持碍子プレートへの固定を容易にすることができる鳥類飛来防止具及び鳥類飛来防止具の取り付け方法を提供することを目的とする。
【課題を解決するための手段】
【０００６】
上述した課題を解決し、目的を達成するために、本発明に係る鳥類飛来防止具は、ボルト及びナットで支持碍子と連結される鉄塔の支持碍子プレートに取り付けるための鳥類飛来防止具であって、前記ナットの外周よりも大きな内周を有するナット孔を備えるベースプレートと、前記ベースプレートから突出する鳥類忌避部材と、を備える。
【０００７】
鳥類忌避部材により、鳥類がベースプレートの上面に留まりにくくなる。さらに、ナット孔の内周がナットの外周よりも大きいので、ナットはナット孔を通り抜けることができる。このため、鳥類飛来防止具の取り付け作業を行う作業者は、ナットがボルトに取り付けられたままの状態で、鳥類飛来防止具を支持碍子プレートに被せることができる。すなわち、作業者は、支持碍子を取り外すことなく鳥類飛来防止具を支持碍子プレートに取り付けることができる。したがって、鳥類飛来防止具は、鉄塔の支持碍子プレートへの固定を容易にすることができる。
【０００８】
本発明の望ましい態様として、前記ベースプレートの厚さ方向における前記ナット孔の長さは、前記ベースプレートの厚さ方向における前記ナットの厚さより大きいことが好ましい。
【０００９】
これにより、鳥類飛来防止具が支持碍子プレートに被せられたとき、ナットがベースプレートの上面よりも上側に突出しない。このため、ベースプレートを押さえつけるための部材であるフィラーの下面とベースプレートの上面との間に隙間が生じにくいので、鳥類飛来防止具のガタツキが抑制される。
【００１０】
また、本発明に係る鳥類飛来防止具の取り付け方法は、ボルト、第１ナット及び第２ナットで支持碍子と連結される鉄塔の支持碍子プレートに対し、前記第１ナットの外周よりも大きな内周を有するナット孔を備えるベースプレートと、前記ベースプレートから突出する鳥類忌避部材と、を備える鳥類飛来防止具を取り付ける方法であって、前記ボルトから前記第２ナットを取り外す第１ステップと、前記第１ステップの後、前記ナット孔の内部に前記第１ナットが位置するように前記ベースプレートを前記支持碍子プレートに被せる第２ステップと、前記第２ステップの後、前記ボルトにフィラーを取り付ける第３ステップと、前記第３ステップの後、前記ボルトに第３ナットを取り付ける第４ステップと、を含む。
【００１１】
これにより、鳥類飛来防止具の取り付け作業を行う作業者は、第１ナットがボルトに取り付けられたままの状態で、鳥類飛来防止具を支持碍子プレートに被せることができる。すなわち、作業者は、支持碍子を取り外すことなく鳥類飛来防止具を支持碍子プレートに取り付けることができる。そして、フィラー、第３ナットによって、鳥類飛来防止具が支持碍子プレートに固定される。したがって、鳥類飛来防止具の取り付け方法は、鉄塔の支持碍子プレートへの固定を容易にすることができる。
【００１２】
本発明の望ましい態様として、前記第４ステップの後、前記ボルトに前記第２ナットを取り付ける第５ステップを含むことが好ましい。
【００１３】
これにより、第３ナットの緩みが抑制される。また、元からボルトに取り付けられていた第２ナットが再利用されるので、作業者が用意する必要のある部材点数が削減される。したがって、鳥類飛来防止具の取り付け作業が容易になる。
【発明の効果】
【００１４】
本発明によれば、鉄塔の支持碍子プレートへの固定を容易にすることができる鳥類飛来防止具及び鳥類飛来防止具の取り付け方法を提供することができる。
【図面の簡単な説明】
【００１５】
【図１】図１は、本実施形態に係る鳥類飛来防止具が用いられる鉄塔を示す模式図である。
【図２】図２は、図１におけるＡ矢視図である。
【図３】図３は、図２におけるＢ矢視図である。
【図４】図４は、図２におけるＣ−Ｃ断面図である。
【図５】図５は、本実施形態に係る鳥類飛来防止具の正面図である。
【図６】図６は、本実施形態に係る鳥類飛来防止具の平面図である。
【図７】図７は、本実施形態に係る鳥類飛来防止具の底面図である。
【図８】図８は、本実施形態に係る鳥類飛来防止具の右側面図である。
【図９】図９は、本実施形態に係る鳥類飛来防止具の斜視図である。
【図１０】図１０は、本実施形態に係る鳥類飛来防止具の取り付け方法を示すフローチャートである。
【図１１】図１１は、本実施形態に係る鳥類飛来防止具が取り付けられる前の支持碍子プレートを示す模式図である。
【図１２】図１２は、本実施形態に係る鳥類飛来防止具の取り付け方法の一工程を示す模式図である。
【図１３】図１３は、本実施形態に係る鳥類飛来防止具の取り付け方法の一工程を示す模式図である。
【図１４】図１４は、本実施形態に係る鳥類飛来防止具の取り付け方法の一工程を示す模式図である。
【発明を実施するための形態】
【００１６】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１７】
（実施形態）
図１は、本実施形態に係る鳥類飛来防止具が用いられる鉄塔を示す模式図である。図１に示すように、鉄塔１００に設けられた複数の腕金７が、それぞれ電線９を支持している。電線９は、腕金７の先端に固定される支持碍子８によって支持されている。支持碍子８は、例えば磁器等で形成されており、腕金７と電線９との間を絶縁しながら電線９を支持することができる。
【００１８】
図２は、図１におけるＡ矢視図である。図３は、図２におけるＢ矢視図である。図４は、図２におけるＣ−Ｃ断面図である。図２及び図３に示すように、腕金７は、先端に支持碍子プレート７１を備える。支持碍子プレート７１は、例えば平面視で矩形であり且つ水平面に平行な板状部材であって、支持碍子８に連結される。例えば、支持碍子８は、支持碍子プレート７１に平行な板状部材である取付プレート８１を上端部に備える。取付プレート８１は、支持碍子プレート７１の下面に接しており、固定ユニット２によって支持碍子プレート７１に固定されている。より具体的には、図４に示すように、固定ユニット２のボルト２０の頭部２０１と第１ナット２１とによって、支持碍子プレート７１及び取付プレート８１が連結されている。支持碍子プレート７１の上面には、鳥類飛来防止具１が取り付けられている。鳥類飛来防止具１は、支持碍子プレート７１に鳥類が留まることを防止するための装置である。
【００１９】
図５は、本実施形態に係る鳥類飛来防止具の正面図である。図６は、本実施形態に係る鳥類飛来防止具の平面図である。図７は、本実施形態に係る鳥類飛来防止具の底面図である。図８は、本実施形態に係る鳥類飛来防止具の右側面図である。図９は、本実施形態に係る鳥類飛来防止具の斜視図である。なお、鳥類飛来防止具１の背面図は、正面図と同じである。鳥類飛来防止具１の左側面図は、右側面図と同じである。図５から図９に示すように、鳥類飛来防止具１は、例えば鋼鉄等で形成されており、ベースプレート１０と、鳥類忌避部材１１と、鳥類忌避部材１２と、鳥類忌避部材１３と、鳥類忌避部材１４と、鳥類忌避部材１５と、を備える。
【００２０】
ベースプレート１０は、鳥類忌避部材１１、鳥類忌避部材１２、鳥類忌避部材１３、鳥類忌避部材１４及び鳥類忌避部材１５を連結する板状部材である。例えば、ベースプレート１０は平面視で矩形である。図２に示すように、ベースプレート１０は、支持碍子プレート７１に重ねられたときに支持碍子プレート７１の少なくとも３辺を覆うことができる面積を有する。また、ベースプレート１０は、ナット孔１６と、ナット孔１７と、ナット孔１８と、ナット孔１９と、を備える。以下の説明においては、ナット孔１６、ナット孔１７、ナット孔１８及びナット孔１９を代表して説明するときは単にナット孔１０ｈという。複数のナット孔１０は同じ形状を有する。
【００２１】
図４に示すように、ナット孔１０の直径Ｗ１は、六角ナットである第１ナット２１の対角距離Ｗ２より大きい。言い換えると、ナット孔１０ｈの内周は、第１ナット２１の外周より大きい。また、ベースプレート１０の厚さ方向において、ナット孔１０ｈの長さＴ１は、第１ナット２１の厚さＴ２より大きい。また、ナット孔１０は、ベースプレート１０が支持碍子プレート７１に重ねられたときにボルト２０と重なる位置に配置されている。
【００２２】
鳥類忌避部材１１、鳥類忌避部材１２、鳥類忌避部材１３、鳥類忌避部材１４及び鳥類忌避部材１５は、例えば、ベースプレート１０の上面から突出する突起である。例えば、鳥類忌避部材１１は、図６に示すように平面視でベースプレート１０の中央に配置されている。鳥類忌避部材１２、鳥類忌避部材１３、鳥類忌避部材１４及び鳥類忌避部材１５は、鳥類忌避部材１１の周りに配置されている。鳥類忌避部材１２は、鳥類忌避部材１１に対して鳥類忌避部材１４とは反対側に配置されている。鳥類忌避部材１３は、鳥類忌避部材１１に対して鳥類忌避部材１５とは反対側に配置されている。より具体的には、図６に示すように、平面視で鳥類忌避部材１２、鳥類忌避部材１１及び鳥類忌避部材１４が同一直線上に並んでおり、且つ鳥類忌避部材１３、鳥類忌避部材１１及び鳥類忌避部材１５が同一直線上に並んでいる。鳥類忌避部材１２及び鳥類忌避部材１４を結ぶ直線は、鳥類忌避部材１３及び鳥類忌避部材１５を結ぶ直線に対して直交している。また、図５及び図８に示すように、鳥類忌避部材１２、鳥類忌避部材１３、鳥類忌避部材１４及び鳥類忌避部材１５の長さは同じである。鳥類忌避部材１１は、鳥類忌避部材１２、鳥類忌避部材１３、鳥類忌避部材１４及び鳥類忌避部材１５より長い。これにより、ベースプレート１０の上面に鳥類が留まりにくくなる。
【００２３】
図３に示すように、鳥類飛来防止具１は、固定ユニット２によって支持碍子プレート７１に固定されている。図３及び図４に示すように、固定ユニット２は、ボルト２０と、第１ナット２１と、フィラー２８と、第３ナット２９と、第２ナット２２と、を備える。ボルト２０は、取付プレート８１、支持碍子プレート７１及びベースプレート１０を貫通している。第１ナット２１は、ナット孔１０ｈの内部に位置しており、支持碍子プレート７１の上面に接している。フィラー２８は、孔２８１を備える円盤状の部材であって、ベースプレート１０の上面に接し且つナット孔１０ｈの一部を覆っている。孔２８１の内周は、ボルト２０の外周よりも大きい。第３ナット２９は、フィラー２８の上面に接している。第２ナット２２は、第３ナット２９の上面に接している。第２ナット２２は、第３ナット２９の緩みを抑制するためのナットである。すなわち、第２ナット２２及び第３ナット２９が、いわゆるダブルナットを構成している。
【００２４】
ベースプレート１０が支持碍子プレート７１及び取付プレート８１と共にボルト２０の頭部２０１とフィラー２８とに挟まれることで、鳥類飛来防止具１は支持碍子プレート７１に固定されている。また上述したように、図４に示すナット孔１０ｈの長さＴ１が第１ナット２１の厚さＴ２より大きいので、第１ナット２１がベースプレート１０の上面よりも上側に突出しない。このため、フィラー２８とベースプレート１０との間に隙間が生じにくいので、鳥類飛来防止具１のガタツキが抑制される。
【００２５】
なお、鳥類忌避部材１１、鳥類忌避部材１２、鳥類忌避部材１３、鳥類忌避部材１４及び鳥類忌避部材１５の形状及び配置は、必ずしも上述した通りでなくてもよい。例えば、鳥類忌避部材１１、鳥類忌避部材１２、鳥類忌避部材１３、鳥類忌避部材１４及び鳥類忌避部材１５の長さが同じであってもよいし、鳥類忌避部材１１が最も短くてもよい。また、鳥類忌避部材の数は４つ以下であってもよいし、６つ以上であってもよい。
【００２６】
なお、平面視でのナット孔１０ｈの形状は、必ずしも円形でなくてもよく、楕円形又は多角形等であってもよい。ナット孔１０ｈは、少なくとも第１ナット２１の外周よりも大きい内周を有する孔であればよい。また、ナット孔１０ｈは、必ずしも４つでなくてもよく、少なくともボルト２０の数と同じ数あればよい。
【００２７】
図１０は、本実施形態に係る鳥類飛来防止具の取り付け方法を示すフローチャートである。図１１は、本実施形態に係る鳥類飛来防止具が取り付けられる前の支持碍子プレートを示す模式図である。図１２は、本実施形態に係る鳥類飛来防止具の取り付け方法の一工程を示す模式図である。図１３は、本実施形態に係る鳥類飛来防止具の取り付け方法の一工程を示す模式図である。図１４は、本実施形態に係る鳥類飛来防止具の取り付け方法の一工程を示す模式図である。
【００２８】
図１１に示すように、鳥類飛来防止具１が取り付けられる前においては、ボルト２０、第１ナット２１及び第２ナット２２によって取付プレート８１が支持碍子プレート７１に連結されている。第２ナット２２は、第１ナット２１の上面に接しており、第１ナット２１の緩みを抑制している。すなわち、第１ナット２１及び第２ナット２２が、いわゆるダブルナットを構成している。このため、仮に第２ナット２２が取り外されたとしても、取付プレート８１は、支持碍子プレート７１に連結されたままであるので、落下しない。
【００２９】
図１０に示すように、鳥類飛来防止具１の取り付け方法は、ステップＳ１と、ステップＳ２と、ステップＳ３と、ステップＳ４と、ステップＳ５と、を含む。鳥類飛来防止具１は、図１１に示す状態の支持碍子プレート７１に取り付けられる。
【００３０】
鳥類飛来防止具１が支持碍子プレート７１に取り付けられる際、図１２に示すように、まずボルト２０から第２ナット２２が取り外される（ステップＳ１）。取り外された第２ナット２２は、一時的に別の場所に保管される。
【００３１】
次に、図１３に示すように、ベースプレート１０が支持碍子プレート７１に被せられる（ステップＳ２）。具体的には、平面視でナット孔１０ｈが第１ナット２１に重なる状態で、ベースプレート１０が支持碍子プレート７１の上面に重ねられる。図４に示すようにナット孔１０ｈの直径Ｗ１が第１ナット２１の対角距離Ｗ２よりも大きいので、第１ナット２１はナット孔１０ｈを通り抜けることができる。これにより、ナット孔１０ｈの内部に第１ナット２１が位置する。
【００３２】
次に、図１４に示すように、フィラー２８がボルト２０に取り付けられる（ステップＳ３）。これにより、ナット孔１０ｈの一部がフィラー２８に覆われる。
【００３３】
次に、図１４に示すように、第３ナット２９がボルト２０に取り付けられる（ステップＳ４）。第３ナット２９は、作業者によって新たに用意されたナットである。これにより、フィラー２８がベースプレート１０の上面に締め付けられる。
【００３４】
次に、図１４に示すように、第２ナット２２がボルト２０に取り付けられる（ステップＳ５）。すなわち、ステップＳ１で取り外された第２ナット２２が再びボルト２０に取り付けられる。これにより、第３ナット２９の緩みが抑制される。また、元からボルト２０に取り付けられていた第２ナット２２が再利用されるので、作業者が用意する必要のある部材点数が削減される。これにより、鳥類飛来防止具１の取り付け作業が容易になる。上述した取り付け方法によって、鳥類飛来防止具１が支持碍子プレート７１に取り付けられる。
【００３５】
なお、ステップＳ５では、必ずしもステップＳ１で取り外された第２ナット２２がボルト２０に取り付けられなくてもよい。例えば、ステップＳ５において、作業者によって新たに用意されたナットがボルト２０に取り付けられてもよい。すなわち、新たな２つのナットによってダブルナットが構成されていてもよい。
【００３６】
以上で説明したように、鳥類飛来防止具１は、ボルト２０及び第１ナット２１で支持碍子８と連結される鉄塔１００の支持碍子プレート７１に取り付けるための装置である。鳥類飛来防止具１は、第１ナット２１の外周よりも大きな内周を有するナット孔１０ｈを備えるベースプレート１０と、ベースプレート１０から支持碍子プレート７１とは反対側に突出する鳥類忌避部材（鳥類忌避部材１１、鳥類忌避部材１２、鳥類忌避部材１３、鳥類忌避部材１４及び鳥類忌避部材１５）と、を備える。
【００３７】
鳥類忌避部材により、鳥類がベースプレート１０の上面に留まりにくくなる。さらに、ナット孔１０ｈの内周が第１ナット２１の外周よりも大きいので、第１ナット２１はナット孔１０ｈを通り抜けることができる。このため、鳥類飛来防止具１の取り付け作業を行う作業者は、第１ナット２１がボルト２０に取り付けられたままの状態で、鳥類飛来防止具１を支持碍子プレート７１に被せることができる。すなわち、作業者は、支持碍子８を取り外すことなく鳥類飛来防止具１を支持碍子プレート７１に取り付けることができる。したがって、鳥類飛来防止具１は、鉄塔１００の支持碍子プレート７１への固定を容易にすることができる。
【００３８】
また、鳥類飛来防止具１においては、ベースプレート１０の厚さ方向におけるナット孔１０ｈの長さＴ１は、ベースプレート１０の厚さ方向における第１ナット２１の厚さＴ２より大きい。
【００３９】
これにより、鳥類飛来防止具１が支持碍子プレート７１に被せられたとき、第１ナット２１がベースプレート１０の上面よりも上側に突出しない。このため、ベースプレート１０を押さえつけるための部材であるフィラー２８の下面とベースプレート１０の上面との間に隙間が生じにくいので、鳥類飛来防止具１のガタツキが抑制される。
【００４０】
また、鳥類飛来防止具１の取り付け方法は、第１ステップ（ステップＳ１）と、第２ステップ（ステップＳ２）と、第３ステップ（ステップＳ３）と、第４ステップ（ステップＳ４）と、を含める。第１ステップは、ボルト２０から第２ナット２２を取り外す工程である。第２ステップは、第１ステップの後、ナット孔１０ｈの内部に第１ナット２１が位置するようにベースプレート１０を支持碍子プレート７１に被せる工程である。第３ステップは、第２ステップの後、ボルト２０にフィラー２８を取り付ける工程である。第４ステップは、第３ステップの後、ボルト２０に第３ナット２９を取り付ける工程である。
【００４１】
これにより、鳥類飛来防止具１の取り付け作業を行う作業者は、第１ナット２１がボルト２０に取り付けられたままの状態で、鳥類飛来防止具１を支持碍子プレート７１に被せることができる。すなわち、作業者は、支持碍子８を取り外すことなく鳥類飛来防止具１を支持碍子プレート７１に取り付けることができる。そして、フィラー２８、第３ナット２９によって、鳥類飛来防止具１が支持碍子プレート１に固定される。したがって、鳥類飛来防止具１の取り付け方法は、鉄塔１００の支持碍子プレート７１への固定を容易にすることができる。
【００４２】
また、鳥類飛来防止具１の取り付け方法は、第５ステップ（ステップＳ５）を含む。第５ステップは、第４ステップの後、ボルト２０に第２ナット２２を取り付ける工程である。
【００４３】
これにより、第３ナット２９の緩みが抑制される。また、元からボルト２０に取り付けられていた第２ナット２２が再利用されるので、作業者が用意する必要のある部材点数が削減される。したがって、鳥類飛来防止具１の取り付け作業が容易になる。
【符号の説明】
【００４４】
１  鳥類飛来防止具
１０  ベースプレート
１０ｈ（１６、１７、１８、１９）  ナット孔
１１、１２、１３、１４、１５  鳥類忌避部材
１００  鉄塔
２  固定ユニット
２０  ボルト
２０１  頭部
２１  第１ナット
２２  第２ナット
２８  フィラー
２８１  孔
２９  第３ナット
７  腕金
７１  支持碍子プレート
８  支持碍子
８１  取付プレート
９  電線
【図１】
2017153291.tif 000003
【図２】
2017153291.tif 000004
【図３】
2017153291.tif 000005
【図４】
2017153291.tif 000006
【図５】
2017153291.tif 000007
【図６】
2017153291.tif 000008
【図７】
2017153291.tif 000009
【図８】
2017153291.tif 000010
【図９】
2017153291.tif 000011
【図１０】
2017153291.tif 000012
【図１１】
2017153291.tif 000013
【図１２】
2017153291.tif 000014
【図１３】
2017153291.tif 000015
【図１４】
2017153291.tif 000016